(57)【要約】【目的】  フレーム同士のＴ字型等の垂直連結を見栄え良く且つ強固に行うことのできる、新しいフレーム連結構造を提供する。【構成】  一方のフレーム（１Ａ）の木口面に、フレーム長手方向と直交する方向に延びたプレート本体（２１）およびプレート本体（２１）に回動自在に設けられた連結片（２２）とを有する連結プレート（２）を取り付けておき、他方のフレーム（１Ｂ）に設けられた蟻溝（１２）に、当該連結プレート（２）のプレート本体（２１）および連結片（２２）を挿入し、且つ当該連結片（２２）を回動させて係合させる。【選択図】図１
2005121203.tif 000002
【特許請求の範囲】
【請求項１】
フレーム同士を互いに垂直に連結するフレーム連結構造であって、
一方のフレームの木口面に、フレーム長手方向と直交する方向に延びたプレート本体およびプレート本体に回動自在に設けられた連結片とを有する連結プレートを取り付け、
他方のフレームに設けられた蟻溝に、当該連結プレートのプレート本体および連結片を挿入し、且つ当該連結片を回動させて係合させるようになっていることを特徴とするフレーム連結構造。
【請求項２】
二つの前記連結片が、一方のフレームの木口面に連結プレートが取り付けられた際に当該フレームを間にして互いに略対称位置となるように、プレート本体に設けられていることを特徴とする請求項１記載のフレーム連結構造。
【発明の詳細な説明】
【技術分野】
【０００１】
この出願の発明は、フレーム連結構造に関するものである。さらに詳しくは、この出願の発明は、各種フレーム同士のＴ字型等の垂直連結に有用な、見栄えの良い強固な連結を実現することのできる、新しいフレーム連結構造に関するものである。
【背景技術】
【０００２】
従来、フレーム同士をＴ字型に連結させる構造としては、たとえば特許文献１に記載のものが知られている。このものは、一方のフレームと他方のフレームとを組立連結用具を介してＴ字型に連結させており、より具体的には、組立連結用具は固定用ブロックと可動用シャフトとを有するものであって、この組立連結用具の固定用ブロックを一方のフレームに設けられた空洞部内にその木口面から装填し、この固定用ブロックから突出した可動用シャフト末端の張出部を他方のフレームの側面に設けられた溝部内に嵌入させ、その状態で当該一方のフレームを９０°回転させて張出部を溝部内に係合させることで、一方のフレームの木口面と他方のフレームの側面とを連結させている。
【特許文献１】特開平９−３２８１７号公報
【発明の開示】
【発明が解決しようとする課題】
【０００３】
しかしながら、上記特許文献１記載の従来のフレーム連結構造では、固定用ブロックから突出した、つまり一方のフレームの木口面から突出した可動用シャフトの張出部が、他方のフレームの溝部内に嵌入係合されているだけなので、一軸固定となっており、フレームに働く力のモーメントによっては張出部を含む連結部分が歪んでしまう恐れがある。
【０００４】
この歪みを防ぐために、Ｌ型金具を外側から連結部分に取り付けて補強することも考えられるが、Ｌ型金具が露出するので見栄えが悪い。
【０００５】
そこで、以上のとおりの事情に鑑み、この出願の発明は、フレーム同士のＴ字型等の垂直連結を、見栄え良く、且つ強固に行うことのできる、新しいフレーム連結構造を提供することを課題としている。
【課題を解決するための手段】
【０００６】
この出願の発明は、上記の課題を解決するものとして、第１には、フレーム同士を互いに垂直に連結するフレーム連結構造であって、一方のフレームの木口面に、フレーム長手方向と直交する方向に延びたプレート本体およびプレート本体に回動自在に設けられた連結片とを有する連結プレートを取り付け、他方のフレームに設けられた蟻溝に、当該連結プレートのプレート本体および連結片を挿入し、且つ当該連結片を回動させて係合させるようになっていることを特徴とするフレーム連結構造を提供する。
【０００７】
第２には、二つの前記連結片が、一方のフレームの木口面に連結プレートが取り付けられた際に当該フレームを間にして互いに略対称位置となるように、プレート本体に設けられていることを特徴とする前記フレーム連結構造を提供する。
【発明の効果】
【０００８】
上記第１のフレーム連結構造によれば、連結プレートによって見栄え良く、且つ強固なフレーム垂直連結を実現することができる。
【０００９】
上記第２のフレーム連結構造によれば、上記第１の連結構造と同様な効果が得られ、また、二つの連結片を上記のとおりの対称位置に設けておくことで、フレーム連結をより強固なものとすることができる。
【発明を実施するための最良の形態】
【００１０】
図１（ａ）〜（ｄ）は、各々、この出願の発明の一実施形態を例示したものである。
【００１１】
これら図１（ａ）〜（ｄ）の実施形態では、フレーム（１Ａ）（１Ｂ）を垂直方向に連結するための連結プレート（２）が、一方のフレーム（１Ａ）、つまり木口面に固定される側のフレーム（１Ａ）の長手方向と直交する方向に延びた細長平板状のプレート本体（２１）（図２（ａ）〜（ｃ）参照）と、当該プレート本体（２１）の両側先端部にその表面と平行な方向に回動自在として設けられた平行四辺形薄板状の二つの連結片（２２）（図３（ａ）〜（ｄ）参照）とを有するものとなっている。
【００１２】
この連結プレート（２）は、まず、一方のフレーム（１Ａ）の木口面に取り付けられる。
【００１３】
より具体的には、たとえば図４にも例示したように、固定ネジ（３）を、ワッシャー（５）（図５（ａ）〜（ｃ）参照）を介在させてプレート本体（２１）の略中央に設けられたネジ孔（２１１）（図２（ａ）参照）に通し、さらにフレーム（１Ａ）の断面略中央に設けられたネジ孔（１１）（図１（ａ）（ｂ）参照）にねじ込むことで、プレート本体（２１）とフレーム（１Ａ）の木口面とがネジ固定されて、連結プレート（２）の取り付けが完了する。
【００１４】
このとき、プレート本体（２１）は、フレーム（１Ａ）の長手方向と直交する方向に延びるような位置にて固定される。
【００１５】
二つの連結片（２２）は、それぞれ、このプレート本体（２１）両側の先端部表面に、下方からプレート本体（２１）のネジ孔（２１２）（図２（ａ）参照）および連結片（２２）のネジ孔（２２１）（図３（ａ）（ｃ）（ｄ）参照）へねじ込まれた固定ネジ（４）によって回動自在に取り付けられており、また、上述のようにプレート本体（２１）のネジ固定によって連結プレート（２）がフレーム（１Ａ）の木口面に取り付けられた際にフレーム（１Ａ）を間にして互いに略対称位置となる。
【００１６】
後は、この連結プレート（２）のプレート本体（２１）および連結片（２２）を他方のフレーム（１Ｂ）にその長手方向に沿って設けられた蟻溝（１２）（図１（ｄ）参照）内に挿入させ、且つ連結片（２２）を回動させて蟻溝（１２）に係合させることで、フレーム（１Ａ）（１Ｂ）同士を互いに垂直に、本実施形態ではＴ字型に、連結できる。
【００１７】
より具体的には、まず、図１（ａ）に例示したように、プレート本体（２１）および連結片（２２）を、蟻溝（１２）と平行な方向に位置させて、蟻溝（１２）内へ挿入させる。連結片（２２）は、プレート本体（２１）と平行な方向に位置させておく、つまりその長辺がプレート本体（２１）の長辺と平行となる位置に回動させておけばよい。続いて、図１（ｂ）（ｃ）（ｄ）に例示したように、蟻溝（１２）内に収まった連結片（２２）を略４５°回動させることで、その短辺が蟻溝（１２）の長手方向に沿った位置となり、連結片（２２）と蟻溝（１２）とが係合する。これにより、連結プレート（２）とフレーム（１Ｂ）とが連結され、よってフレーム（１Ａ）とフレーム（１Ｂ）とが互いに垂直方向に連結されることとなる。なお連結片（２２）の回動作業は、たとえば固定ネジ（４）をレンチやドライバ等の工具を用いて回すことで容易に行える。
【００１８】
以上によれば、連結後の見栄えについては、連結プレート（２）全体が他方のフレーム（１Ｂ）の蟻溝（１２）内に収まり外から見え難くなるため、前述したように補強用のＬ型金具を外側に取り付けるといった場合よりも良好な外観を確保でき、また連結強度については、プレート本体（２１）自体が前述した従来技術における可動用シャフトの張出部よりもモーメント歪に強い長尺な平板状のものであり、且つプレート本体（２１）の略中央位置でのネジ固定およびその固定位置からある程度離れた位置での連結片（２２）の係合固定とによる複数点固定となっているため、耐歪み性能が著しく向上し、高強度連結を実現できるのである。また、二つの連結片（２２）の上記対称配置によってより強固な連結が実現されてもいる。
【００１９】
もちろん、この出願の発明は以上の実施形態に限定されるものではなく、細部については様々な態様が可能である。
【００２０】
たとえば、連結プレート（２）のプレート本体（２１）は図６（ａ）（ｂ）（ｃ）に例示したような表面が略平らなものとすることもでき、この場合では図７に例示したようにフレーム（１Ａ）との連結に際してワッシャー（５）を用いる必要はない。
【００２１】
また、連結片（２２）については、上述のようにプレート本体（２１）に対して二つ設ける場合に限定されず、必要な強度が確保できれば一つでも、また三つ以上でも良い。
【００２２】
また、フレーム（１Ｂ）に設けられる蟻溝（１２）については、たとえば図８に例示したように、プレート本体用溝（１２１）および連結片用溝（１２２）からなるものも考慮できる。
【００２３】
より具体的には、プレート本体用溝（１２１）は下方に位置して連結プレート（２）のプレート本体（２１）が挿入される蟻溝空間となり、連結片用溝（１２２）は上方に位置して連結プレート（２）の連結片（２２）が挿入され且つ回動係合される蟻溝空間となる。これらプレート本体用溝（１２１）および連結片用溝（１２２）は、左右内壁から相対向するように突出した一対の板片（１２３ａ）（１２３ｂ）を間にして上下に区画されており、互いに連通して一つの蟻溝（１２）を構成している。
【００２４】
このように、蟻溝（１２）の形状については様々なものを考慮できるが、連結プレート（２）のプレート本体（２１）の挿入ならびに連結片（２２）の挿入且つ回動係合が可能なものであれば特に限定されない。
【００２５】
なお、図８では、蟻溝（１２）の形状に合わせて、プレート本体（２１）は板片（１２３ａ）（１２３ｂ）の下面まで延びた、図１（ｄ）の場合より幅広のものとなっており、また連結片（２２）はプレート本体（２１）の表面から板片（１２３ａ）（１２３ｂ）の厚み分高い位置に取り付けられたものとなっており、この連結片（２２）が回動すると板片（１２３ａ）（１２３ｂ）の上面にも接触して係合し、板片（１２３ａ）（１２３ｂ）を下方のプレート本体（２１）および上方の連結片（２２）にて挟持することとなり、連結プレート（２）自体でフレーム（１Ｂ）をしっかりと掴んでより一層強固なフレーム連結を実現してもいる。
【産業上の利用可能性】
【００２６】
以上詳しく説明した通り、この出願の発明によって、フレーム同士のＴ字型等の垂直連結を、見栄え良く、且つ強固に行うことのできる、新しいフレーム連結構造が提供される。
【図面の簡単な説明】
【００２７】
【図１】この出願の発明の一実施形態を例示したものであり、（ａ）は連結プレート    挿入時の透過平面図、（ｂ）は連結片回動係合時の透過平面部、（ｃ）および（ｄ）    はその透過正面図および側面図である。
【図２】（ａ）〜（ｃ）は、各々、連結プレートのプレート本体を例示した平面図、    正面図および側面図である。
【図３】（ａ）〜（ｄ）は、各々、連結プレートの連結片を例示した平面図、側面図    、下面図および正面図である。
【図４】連結プレートの組立例を示した分解正面図である。
【図５】（ａ）〜（ｃ）は、各々、ワッシャーを例示した平面図、正面図および側面    図である。
【図６】（ａ）〜（ｃ）は、各々、連結プレートのプレート本体の別の一例を示した    平面図、正面図および側面図である。
【図７】図６のプレート本体を用いた組立例を示した分解正面図である。
【図８】蟻溝および連結プレートの別の一例を示した側面図である。
【符号の説明】
【００２８】
１Ａ，１Ｂ  フレーム
１１  ネジ孔
１２  蟻溝
１２１  プレート本体用溝
１２２  連結片用溝
１２３ａ，１２３ｂ  板片
２  連結プレート
２１  プレート本体
２１１  ネジ孔
２１２  ネジ孔
２２  連結片
２２１  ネジ孔
３，４  固定ネジ
５  ワッシャー
【図１】
2005121203.tif 000003
【図２】
2005121203.tif 000004
【図３】
2005121203.tif 000005
【図４】
2005121203.tif 000006
【図５】
2005121203.tif 000007
【図６】
2005121203.tif 000008
【図７】
2005121203.tif 000009
【図８】
2005121203.tif 000010